(57)【要約】【課題】コネクタの外形を規定するハウジングと、収容されるコンタクトとの組合せが自由な２つのコネクタからなるコネクタ組立体を提供する。【解決手段】コネクタ組立体は第１コネクタ１０と第２コネクタ２０とからなる。第１コネクタ１０は、プラグハウジング１１内に副組立体１８が収容されている。副組立体１８は、雄コンタクト１２とインナハウジング１３とを有する。また、第２コネクタ２０はレセプタクルハウジング２１内に副組立体２８が収容されている。副組立体２８は、雌コンタクト２２とインナハウジング２３とを有する。２つの副組立体１８，２８のインナハウジング１３，２３は同一であって、レセプタクルハウジング２１に収容されている副組立体２８をプラグハウジング１１に収容したコネクタ、および、プラグハウジング１１に収容されている副組立体１８をレセプタクルハウジング２１に収容したコネクタとすることも可能である。【選択図】図６
2019110082.tif 000002
【特許請求の範囲】
【請求項１】
雄コンタクトと該雄コンタクトを収容した第１インナハウジングとを有する第１副組立体、および該雄コンタクトと組み合う雌コンタクトと該雌コンタクトを収容した第２インナハウジングとを有する第２副組立体のうちの一方の副組立体と、該第１副組立体および該第２副組立体のいずれをも収容可能な形状であって該一方の副組立体が収容された第１アウタハウジングとを有する第１コネクタ、並びに
前記第１副組立体および前記第２副組立体のうちの前記一方の副組立体とは異なる他方の副組立体と、該第１副組立体および該第２副組立体のいずれをも収容可能な形状であって該他方の副組立体が収容された第２アウタハウジングとを有し、前記第１コネクタと組み合う第２コネクタを備えたことを特徴とするコネクタ組立体。
【請求項２】
前記第１インナハウジングと前記第２インナハウジングは、互いに同一の形状を有するハウジングであることを特徴とする請求項１に記載のコネクタ組立体。
【請求項３】
前記第１副組立体および前記第２副組立体が、互いに同一形状のシール部材を備えていることを特徴とする請求項１または２に記載のコネクタ組立体。
【発明の詳細な説明】
【技術分野】
【０００１】
本発明は、互いに組み合う２つのコネクタからなるコネクタ組立体に関する。
【背景技術】
【０００２】
特許文献１には、雌雄同形のコンタクトが互いに同形のハウジングに収容されて互いに組み合う２つのコネクタからなるコネクタ組立体が開示されている。
【先行技術文献】
【特許文献】
【０００３】
【特許文献１】国際公開ＷＯ２０１６／０６３３７７号公報
【発明の概要】
【発明が解決しようとする課題】
【０００４】
上掲の特許文献１に開示されているコネクタ組立体の場合、雄コンタクトを備えたコネクタと雌コンタクトを備えたコネクタとの組合せであって、ハウジングと雌雄のコンタクトの組合せを変更したいユーザの要望には応えることができない。すなわち、一方のコネクタの外形が決まっていて、その一方のコネクタに、雄コンタクトを収容する必要がある用途と雌コンタクトを収容する必要がある用途との双方の用途に対応することは出来ない。例えば、電力供給側のコネクタには、指などが不用意に触れることがないように雌コンタクトを収容したいという要望がある。この場合において、一方のコネクタが電力供給側となる用途と、同じ外形の一方のコネクタが電力の供給を受ける側となる用途とがある場合とが存在する。このような場面では、上掲の特許文献１のコネクタ組立体では対応することはできない。一方、ハウジングの外形が同じであって、雄コンタクトを収容したコネクタと雌コンタクトを収容したコネクタとの２種類のコネクタを別途に設計・製造することも考えられる。しかし、その場合は、部品の種類が増加すると共に、コストアップとなるおそれがある。
【０００５】
本発明は、上記事情に鑑み、コネクタの外形を規定するハウジングと、そのハウジングに収容されるコンタクトとの組合せが自由な２つのコネクタからなるコネクタ組立体を提供することを目的とする。
【課題を解決するための手段】
【０００６】
上記目的を達成する本発明のコネクタ組立体は、
雄コンタクトとその雄コンタクトを収容した第１インナハウジングとを有する第１副組立体、および雄コンタクトと組み合う雌コンタクトとその雌コンタクトを収容した第２インナハウジングとを有する第２副組立体のうちの一方の副組立体と、第１副組立体および第２副組立体のいずれをも収容可能な形状であって一方の副組立体が収容された第１アウタハウジングとを有する第１コネクタ、並びに
上記第１副組立体および上記第２副組立体のうちの上記一方の副組立体とは異なる他方の副組立体と、第１副組立体および第２副組立体のいずれをも収容可能な形状であって他方の副組立体が収容された第２アウタハウジングとを有し、上記第１コネクタと組み合う第２コネクタを備えたことを特徴とする。
【０００７】
本発明のコネクタ組立体の場合、コンタクトはインナハウジングに収容されている。そして、雄コンタクトを収容した第１インナハウジングおよび雌コンタクトを収容した第２インナハウジングのいずれもが、コネクタの外形を規定する第１アウタハウジングおよび第２アウタハウジングのいずれにも収容可能である。したがって、本発明のコネクタ組立体の場合、外形を規定するハウジングと雌雄のコンタクトとの組合せが自由である。
【０００８】
ここで、本発明のコネクタ組立体において、第１インナハウジングと第２インナハウジングは、互いに同一の形状を有するハウジングであることが好ましい。
【０００９】
第１インナハウジングと第２インナハウジングを、雌雄のコンタクトのいずれをも収容可能な同一の形状とすることによって部品の種類が減り、コストダウンにつながる。
【００１０】
また、本発明のコネクタ組立体において、第１副組立体および第２副組立体が、互いに同一形状のシール部材を備えていることが好ましい。第１副組立体および第２副組立体がシール部材を備えることにより防水型のコネクタ組立体が実現する。また、そのシール部材を第１副組立体のシール部材と第２副組立体のシール部材を同一形状とすることにより、部品の種類も減り、またアウタハウジングとの組合せも良好となる。
【発明の効果】
【００１１】
以上の本発明によれば、コネクタの外形を規定するハウジングと、そのハウジングに収容されるコンタクトとの組合せが自由なコネクタ組立体が実現する。
【図面の簡単な説明】
【００１２】
【図１】本発明の第１実施形態としてのコネクタ組立体を構成する第１コネクタ（Ａ）と第２コネクタ（Ｂ）の斜視図である。
【図２】図１（Ａ）に示す第１コネクタの正面図（Ａ）、側面図（Ｂ）、および背面図（Ｃ）である。
【図３】図２（Ｃ）に示す、矢印Ａ−Ａに沿う断面図（Ａ）および矢印Ｂ−Ｂに沿う断面図（Ｂ）である。
【図４】図１（Ｂ）に示す第２コネクタの正面図（Ａ）、側面図（Ｂ）、および背面図（Ｃ）である。
【図５】図４（Ｃ）に示す、矢印Ａ−Ａに沿う断面図（Ａ）および矢印Ｂ−Ｂに沿う断面図（Ｂ）である。
【図６】嵌合状態にある第１コネクタおよび第２コネクタの断面図である。
【図７】本発明の第２実施形態としてのコネクタ組立体を構成する第１コネクタ（Ａ）と第２コネクタ（Ｂ）の斜視図である。
【図８】図７（Ａ）に示す第１コネクタの正面図（Ａ）、側面図（Ｂ）、および背面図（Ｃ）である。
【図９】図８（Ｃ）に示す、矢印Ａ−Ａに沿う断面図（Ａ）および矢印Ｂ−Ｂに沿う断面図（Ｂ）である。
【図１０】図７（Ｂ）に示す第２コネクタの正面図（Ａ）、側面図（Ｂ）、および背面図（Ｃ）である。
【図１１】図１０（Ｃ）に示す、矢印Ａ−Ａに沿う断面図（Ａ）および矢印Ｂ−Ｂに沿う断面図（Ｂ）である。
【図１２】第２実施形態における、嵌合状態にある第１コネクタおよび第２コネクタの断面図である。
【発明を実施するための形態】
【００１３】
以下、本発明の実施の形態について説明する。
【００１４】
図１は、本発明の第１実施形態としてのコネクタ組立体を構成する第１コネクタ（Ａ）と第２コネクタ（Ｂ）の斜視図である。
【００１５】
図１（Ａ）に示す第１コネクタ１０は、プラグハウジング１１と雄コンタクト１２とを備えた構造のコネクタである。また、図１（Ｂ）に示す第２コネクタ２０は、レセプタクルハウジング２１と雌コンタクト２２（例えば、図５を参照）とを備えた構造のコネクタである。これら第１コネクタ１０と第２コネクタ２０は、互いに組み合う２つのコネクタであって、それら第１コネクタ１０と第２コネクタ２０が、本発明の第１実施形態としてのコネクタ組立体を構成している。
【００１６】
ここで、第１コネクタ１０のプラグハウジング１１は、本発明にいう第１アウタハウジングの一例に相当する。また、第２コネクタ２０のレセプタクルハウジング２１は、本発明にいう第２アウタハウジングの一例に相当する。あるいは、これとは逆に、プラグハウジング１１およびレセプタクルハウジング２１を、本発明にいう、それぞれ第２アウタハウジングおよび第１アウタハウジングの各一例に相当するハウジングであると捉えてもよい。
【００１７】
これら第１コネクタ１０と第２コネクタ２０との嵌合にあたっては、第２コネクタ２０の嵌合部２１１に設けられている突起２１２と第１コネクタ１０の嵌合開口１１１に設けられているキー溝１１２とを位置合わせする。そして、その位置合わせの後に、第２コネクタ２０の嵌合部２１１が第１コネクタ１０の嵌合開口１１１との嵌合が完了する。すると、第１コネクタ１０の雄コンタクト１２の先端部が第２コンタクト２０の雌コンタクト２２と嵌合し、それら雄コンタクト１２と雌コンタクト２２が電気的に接続される。
【００１８】
ここで、第２コンタクト２０のレセプタクルハウジング２１には、その後端部に鍔部２１３が設けられている。また、この鍔部２１３と嵌合部２１１との間には、ナット２９の雌ねじ２９１（図５参照）と組み合う雄ねじ２１４（図４参照）が設けられている。これら鍔部２１３とナット２９との間には不図示のパネルが挟まれ、この第２コネクタ２０は、そのパネルに固定された状態で使用される構造となっている。ナット２９とパネルとの間にはナット２９の緩み防止用のワッシャ３０（図４（Ｂ））参照）が配置されている。
【００１９】
以下、この図１に示す、第１コネクタ１０と第２コネクタ２０とからなるコネクタ組立体について、さらに詳細に説明する。
【００２０】
図２は、図１（Ａ）に示す第１コネクタの正面図（Ａ）、側面図（Ｂ）、および背面図（Ｃ）である。図２（Ｃ）には、図３に示す断面図の断面位置を表わす矢印Ａ−Ａ，Ｂ−Ｂが示されている。
【００２１】
図３は、図２（Ｃ）に示す、矢印Ａ−Ａに沿う断面図（Ａ）および矢印Ｂ−Ｂに沿う断面図（Ｂ）である。
【００２２】
第１コネクタ１０を構成するプラグハウジング１１内には、雄コンタクト１２と、その雄コンタクト１２を収容したインナハウジング１３とを有する副組立体１８が収容されている。また、この副組立体１８には、防水用のシール部材１４も備えられている。このシール部材１４は、インナハウジング１３を構成する前側ハウジング１３１と後側ハウジング１３２とに挟まれた位置に配置されている。ここで、副組立体１８は、本発明にいう第１副組立体の一例に相当する。また、インナハウジング１３は、本発明にいう第１インナハウジングの一例に相当する。
【００２３】
また、プラグハウジング１１内には、コイルスプリング１５とＯリング１６も配置されている。コイルスプリング１５は、第１コネクタ１０に嵌合した状態の第２コネクタ２０の嵌合部２１１をロックする部材である。また、Ｏリング１６は、プラグハウジング１１の内壁面１１３とレセプタクルハウジング２１の外壁面（第２コネクタ２０の嵌合部２１１）との間に介在して、第１コネクタ１０と第２コネクタ２０との間を防水する役割を担っている。
【００２４】
雄コンタクト１２、インナハウジング１３、およびシール部材１４からなる副組立体１８は、プラグハウジング１１内にその後方から収容される。そして、プラグハウジング１１の後端部に、リング形状の抜止部材１７が圧入される。これにより、副組立体１８がプラグハウジング１１内に固定される。
【００２５】
図４は、図１（Ｂ）に示す第２コネクタの正面図（Ａ）、側面図（Ｂ）、および背面図（Ｃ）である。図４（Ｂ）は、ナット２９とワッシャ３０がレセプタクルハウジング２１から外された状態の分解斜視図となっている。また、図４（Ｃ）には、図５に示す断面図の断面位置を表わす矢印Ａ−Ａ，Ｂ−Ｂが示されている。
【００２６】
図５は、図４（Ｃ）に示す、矢印Ａ−Ａに沿う断面図（Ａ）および矢印Ｂ−Ｂに沿う断面図（Ｂ）である。
【００２７】
第２コネクタ２０を構成するレセプタクルハウジング２１内には、雌コンタクト２２とその雌コンタクト２２を収容したインナハウジング２３とを有する副組立体２８が収容されている。また、この副組立体２８には、防水用のシール部材２４も備えられている。このシール部材２４は、インナハウジング２３を構成する前側ハウジング２３１と後側ハウジング２３２とに挟まれた位置に配置されている。ここで、この副組立体２８は、本発明にいう第２副組立体の一例に相当する。また、インナハウジング２３は、本発明にいう第２インナハウジングの一例に相当する。
【００２８】
ここで、副組立体２８を構成するインナハウジング２３およびシール部材２４は、図３に示す副組立体１８を構成しているインナハウジング１３およびシール部材１４とそれぞれ同一形状、同一寸法の部材である。すなわち、第１コネクタ１０を構成している副組立体１８と第２コネクタ２０を構成している副組立体２８は、形状の異なるコンタクト（雄コンタクト１２と雌コンタクト２２）を備えている点のみが異なっている。
【００２９】
雌コンタクト２２、インナハウジング２３、およびシール部材２４からなる副組立体２８は、レセプタクルハウジング２１内にその後方から収容される。そして、レセプタクルハウジング２１の後端部に、リング形状の抜止部材２７が圧入される。これにより、副組立体２８がレセプタクルハウジング２１内に固定される。
【００３０】
また、この第２コネクタ２０では、そのレセプタクルハウジング２１の鍔部２１３に、不図示のパネルとの間の防水を担うＯリング３１が配置されている。
【００３１】
図６は、嵌合状態にある第１コネクタおよび第２コネクタの断面図である。ここで、図６（Ａ）は、図２（Ｃ）に示した矢印Ａ−Ａおよび図４（Ｃ）に示した矢印Ａ−Ａに沿う断面図である。また、図６（Ｂ）は、図２（Ｃ）に示した矢印Ｂ−Ｂおよび図４（Ｃ）に示した矢印Ｂ−Ｂに沿う断面図である。
【００３２】
第１コネクタ１０と第２コネクタ２０が嵌合すると、図６（Ｂ）に示すように、第１コネクタ１０の雄コンタクト１２の先端部が第２コネクタ２０の雌コンタクト２２と嵌合した状態となる。これにより、雄コンタクト１２と雌コンタクト２２が電気的に接続される。また、第２コネクタ２０の嵌合部２１１は、その溝２１５がプラグハウジング１１内でコイルスプリング１５と係合した状態となる。また、第１コネクタ１０と第２コネクタ２０との間は、Ｏリング１６でシールされた状態となる。
【００３３】
次に、本発明の第２実施形態としてのコネクタ組立体について説明する。
【００３４】
図７は、本発明の第２実施形態としてのコネクタ組立体を構成する第１コネクタ（Ａ）と第２コネクタ（Ｂ）の斜視図である。
【００３５】
図７（Ａ）に示す第１コネクタ５０は、プラグハウジング５１と雌コンタクト５２（図９（Ｂ）参照）とを備えた構造のコネクタである。
【００３６】
ここで、図７（Ａ）に示す第１コネクタ５０を図１（Ａ）に示した第１コネクタ１０と比べると、それら両者の第１コネクタ５０，１０において、プラグハウジング５１，１１は同一形状および同一寸法のハウジングである。一方、コンタクトに関しては、図１（Ａ）に示した第１コネクタ１０が雄コンタクト１２を備えているのに対し、図７（Ａ）に示す第１コネクタ５０は、雌コンタクト５２を備えている。この雌コンタクト５２は、図１（Ｂ）に示した第２コネクタ２０が備えている雌コンタクト２２と同一のコンタクトである。
【００３７】
また、図７（Ｂ）に示す第２コネクタ６０は、レセプタクルハウジング６１と雄コンタクト６２（例えば、図１１を参照）とを備えた構造のコネクタである。
【００３８】
ここで、図７（Ｂ）に示す第２コネクタ６０を図１（Ｂ）に示した第２コネクタ２０と比べると、それら両者の第２コネクタ６０，２０において、レセプタクルハウジング６１，２１は同一形状および同一寸法のハウジングである。第２コネクタ６０が備えている鍔部６１３と、雄ねじ６１４と組み合うナット６９との間に不図示のパネルが挟まれる点についても、図１（Ｂ）に示した第２コネクタ２０と同一である。また、レセプタクルハウジング６１の鍔部６１３に、パネルとの間の防水を担うＯリング７１（図１１参照）が配置されている点も、図１（Ｂ）に示した第２コネクタ２０と同一である。一方、コンタクトに関しては、図１（Ａ）に示した第２コネクタ１０が雌コンタクト２２を備えているのに対し、図７（Ｂ）に示す第２コネクタ６０は、雄コンタクト６２を備えている。この雄コンタクト６２は、図１（Ａ）に示した第１コネクタ１０が備えている雄コンタクト１２と同一のコンタクトである。
【００３９】
この図７に示す第１コネクタ５０と第２コネクタ６０は、互いに組み合う２つのコネクタであって、それら第１コネクタ５０と第２コネクタ６０が、本発明の第２実施形態としてのコネクタ組立体を構成している。
【００４０】
ここで、第１コネクタ５０のプラグハウジング５１は、本発明にいう第１アウタハウジングの一例に相当する。また、第２コネクタ６０のレセプタクルハウジング６１は、本発明にいう第２アウタハウジングの一例に相当する。あるいは、これとは逆に、プラグハウジング５１およびレセプタクルハウジング６１を、本発明にいう、それぞれ第２アウタハウジングおよび第１アウタハウジングの各一例に相当するハウジングであると捉えてもよい。
【００４１】
これら第１コネクタ５０と第２コネクタ６０との嵌合は、雌雄のコンタクト５２，６２が逆の関係であることを除き、図１に示した第１コネクタ１０と第２コネクタ２０との嵌合と同一である。すなわち、図７に示す第１コネクタ５０と第２コネクタ６０との嵌合にあたっては、第２コネクタ６０の嵌合部６１１に設けられている突起６１２と第１コネクタ５０の嵌合開口５１１に設けられているキー溝５１２とを位置合わせする。そして、その位置合わせの後に、第２コネクタ６０の嵌合部６１１が第１コネクタ５０の嵌合開口５１１との嵌合が完了する。すると、第１コネクタ５０の雌コンタクト５２に第２コンタクト２０の雄コンタクト６２の先端部が嵌合し、それら雌コンタクト５２と雄コンタクト６２が電気的に接続される。
【００４２】
以下、この図７に示す、第１コネクタ５０と第２コネクタ６０とからなるコネクタ組立体について、さらに詳細に説明する。
【００４３】
図８は、図７（Ａ）に示す第１コネクタの正面図（Ａ）、側面図（Ｂ）、および背面図（Ｃ）である。図８（Ｃ）には、図９に示す断面図の断面位置を表わす矢印Ａ−Ａ，Ｂ−Ｂが示されている。
【００４４】
図９は、図８（Ｃ）に示す、矢印Ａ−Ａに沿う断面図（Ａ）および矢印Ｂ−Ｂに沿う断面図（Ｂ）である。
【００４５】
第１コネクタ５０を構成するプラグハウジング５１内には、雌コンタクト５２とその雌コンタクト５２を収容したインナハウジング５３とを有する副組立体５８が収容されている。また、この副組立体５８には、防水用のシール部材５４も備えられている。このシール部材５４は、インナハウジング５３を構成する前側ハウジング５３１と後側ハウジング５３２とに挟まれた位置に配置されている。ここで、この副組立体５８は、本発明にいう第２副組立体の一例に相当する。また、インナハウジング５３は、本発明にいう第２インナハウジングの一例に相当する。
【００４６】
また、プラグハウジング５１内には、コイルスプリング５５とＯリング５６も配置されている。コイルスプリング５５は、第１コネクタ５０に嵌合した状態の第２コネクタ６０の嵌合部６１１を支持する部材である。また、Ｏリング５６は、プラグハウジング５１の内壁面５１３とレセプタクルハウジング６１の外壁面（第２コネクタ６０の嵌合部６１１）との間に介在して、第１コネクタ５０と第２コネクタ６０との間を防水する役割を担っている。
【００４７】
雌コンタクト５２、インナハウジング５３、およびシール部材５４からなる副組立体５８は、プラグハウジング５１内にその後方から収容される。そして、プラグハウジング５１の後端部に、リング形状の抜止部材５７が圧入される。これにより、第１副組立体５８がプラグハウジング５１内に固定される。
【００４８】
図１０は、図７（Ｂ）に示す第２コネクタの正面図（Ａ）、側面図（Ｂ）、および背面図（Ｃ）である。図１０（Ｂ）は、ナット６９とワッシャ７０がレセプタクルハウジング６１から外された状態の分解斜視図となっている。図１０（Ｃ）には、図１１に示す断面図の断面位置を表わす矢印Ａ−Ａ，Ｂ−Ｂが示されている。
【００４９】
図１１は、図１０（Ｃ）に示す、矢印Ａ−Ａに沿う断面図（Ａ）および矢印Ｂ−Ｂに沿う断面図（Ｂ）である。
【００５０】
第２コネクタ６０を構成するレセプタクルハウジング６１内には、雄コンタクト６２と、その雄コンタクト６２を収容したインナハウジング６３とを有する副組立体６８が収容されている。また、この副組立体６８には、防水用のシール部材６４も備えられている。このシール部材６４は、インナハウジング６３を構成する前側ハウジング６３１と後側ハウジング６３２とに挟まれた位置に配置されている。ここで、この副組立体６８は、本発明にいう第１副組立体の一例に相当する。また、インナハウジング６３は、本発明にいう第１インナハウジングの一例に相当する。
【００５１】
ここで、第２コネクタ６０に備えられている副組立体６８を構成するインナハウジング６３は、第１コネクタ５０に備えられている副組立体５８を構成しているインナハウジング５３と同一形状、同一寸法の部材である。また、シール部材６４についても、シール部材５４と同一形状、同一寸法の部材である。すなわち、第１副組立体５８と第２副組立体６８は、形状の異なるコンタクト（雌コンタクト５２と雄コンタクト６２）を備えている点のみが異なっている。
【００５２】
雄コンタクト６２、インナハウジング６３、およびシール部材６４からなる副組立体６８は、レセプタクルハウジング６１内にその後方から収容される。そして、レセプタクルハウジングの後端部に、リング形状の抜止部材６７が圧入される。これにより副組立体６８がレセプタクルハウジング６１内に固定される。
【００５３】
ここで、上記の通り、副組立体５８，６８を構成しているインナハウジング５３，６３は互いに同一であって、シール部材５４，６４も互いに同一である。さらに、これらのインナハウジング５３，６３は、図１〜図７を参照して説明した第１実施形態におけるインナハウジング１３，２３とも同一である。シール部材５４，６４についても、第１実施形態におけるシール部材１４，２４とも同一である。また、第１コネクタ５０を構成している副組立体５８の雌コンタクト５２は、第１実施形態における第２コネクタ２０を構成している副組立体２８の雌コンタクト２２と同一である。これと同様に、第２コネクタ６０を構成している副組立体６８の雄コンタクト６２は、第１実施形態における第１コネクタ１０を構成している副組立体１８の雄コンタクト１２と同一である。すなわち、第１実施形態における副組立体１８は、第２実施形態における副組立体６８と同一である。これと同様に、第１実施形態における副組立体２８は、第２実施形態における副組立体５８と同一である。換言すると、第１実施形態においてレセプタクルハウジング２１に収容されていた副組立体２８が、この第２実施形態ではプラグハウジング５１に収容されている。また、これと同様に、第１実施形態においてプラグハウジング１１に収容されていた副組立体１８が、この第２実施形態ではレセプタクルハウジング６１に収容されている。さらに換言すると、ここで説明したコネクタ組立体の場合、プラグハウジングとレセプタクルハウジングのいずれのハウジングを有するコネクタであっても、雄コンタクトを備えたコネクタとし、あるいは雌コンタクトを備えたコネクタとすることができる。
【００５４】
図１２は、第２実施形態における、嵌合状態にある第１コネクタおよび第２コネクタの断面図である。ここで、図１２（Ａ）は、図８（Ｃ）に示した矢印Ａ−Ａおよび図１０（Ｃ）に示した矢印Ａ−Ａに沿う断面図である。また、図１２（Ｂ）は、図８（Ｃ）に示した矢印Ｂ−Ｂおよび図１０（Ｃ）に示した矢印Ｂ−Ｂに沿う断面図である。
【００５５】
第１コネクタ５０と第２コネクタ６０が嵌合すると、図１２（Ｂ）に示すように、第１コネクタ５０の雌コンタクト５２に第２コネクタ６０の雄コンタクト６２の先端部と嵌合した状態となる。これにより、雌コンタクト５２と雄コンタクト６２が電気的に接続される。また、第２コネクタ６０の嵌合部６１１は、その溝６１５がプラグハウジング５１内でコイルスプリング５５と係合した状態となる。また、第１コネクタ５０と第２コネクタ６０との間は、Ｏリング５６でシールされた状態となる。
【００５６】
なお、ここでは、プラグハウジングとレセプタクルハウジングとの組合せについて説明した。ただし、本発明は、第１コネクタおよび第２コネクタの各外形を規定しているハウジングの形状を問うものではなく、互いに組み合う形状を有していればよい。
【符号の説明】
【００５７】
１０，５０  第１コネクタ
１１，５１  プラグハウジング
１１１，５１１  嵌合開口
１１２，５１２  キー溝
１１３、５１３  内壁面
１２，６２  雄コンタクト
１３，５３  インナハウジング
１３１，５３１  前側ハウジング
１３２，５３２  後側ハウジング
１４，５４  シール部材
１５，５５  コイルスプリング
１６，５６  Ｏリング
１７，５７  抜止部材
１８，５８  副組立体
２０，６０  第２コネクタ
２１１，６１１  嵌合部
２１２，６１２  突起
２１３，６１３  鍔部
２１４，６１４  雄ねじ
２２，５２  雌コンタクト
２３，６３  インナハウジング
２３１，６３１  前側ハウジング
２３２，６３２  後側ハウジング
２４，６４  シール部材
２７，６７  抜止部材
２８，６８  副組立体
２９，６９  ナット
３０，７０  ワッシャ
３１，７１  Ｏリング
【図１】
2019110082.tif 000003
【図２】
2019110082.tif 000004
【図３】
2019110082.tif 000005
【図４】
2019110082.tif 000006
【図５】
2019110082.tif 000007
【図６】
2019110082.tif 000008
【図７】
2019110082.tif 000009
【図８】
2019110082.tif 000010
【図９】
2019110082.tif 000011
【図１０】
2019110082.tif 000012
【図１１】
2019110082.tif 000013
【図１２】
2019110082.tif 000014